(57)【要約】【課題】小型で低価格であると同時に丈夫で頑丈なケーブル連結部を備えたケーブルコネクタを提供する。【解決手段】ケーブルコネクタが、外シェルに取り付けられたコネクタハウジングを有する。シール（２６）が、少なくとも部分的に、外シェル（１８）とコネクタハウジング（２４）との間に配置されている。シールド（２８）が、少なくとも部分的に、シールと隣接してコネクタハウジングの周囲に配置されている。一つの例示の方法では、コネクタハウジングは外シェルに取り外し可能に取り付けられている。別の例示の方法では、シールは一体形状を有する。【選択図】図１
2010062147.tif 000002
【特許請求の範囲】
【請求項１】
ケーブルコネクタ（１０）であって、
外シェル（１８）と、
前記外シェル（１８）に取り外し可能に取り付けられたコネクタハウジング（２４）と、
前記外シェル（１８）と前記コネクタハウジング（２４）との間に少なくとも部分的に配置されたシール（２６）と、
前記シール（２６）と隣接して前記コネクタハウジング（２４）の周囲に少なくとも部分的に配置されたシールド（２８）とを備えた、ケーブルコネクタ（１０）。
【請求項２】
請求項１に記載のケーブルコネクタ（１０）において、
前記シール（２６）は一体形状を有する、ケーブルコネクタ（１０）。
【請求項３】
請求項１に記載のケーブルコネクタ（１０）において、更に、
前記コネクタハウジング（２４）内に配置された端子（２０）を有するケーブル（１４）を備えた、ケーブルコネクタ（１０）。
【請求項４】
請求項３に記載のケーブルコネクタ（１０）において、更に、
前記端子（２０）の周囲に配置されたフェルール（２２）を備えた、ケーブルコネクタ（１０）。
【請求項５】
請求項４に記載のケーブルコネクタ（１０）において、
前記フェルール（２２）は、前記端子（２０）にかしめられている、ケーブルコネクタ（１０）。
【請求項６】
請求項４に記載のケーブルコネクタ（１０）において、
前記フェルール（２２）は、前記シールド（２８）上に少なくとも部分的に配置されている、ケーブルコネクタ（１０）。
【請求項７】
請求項３に記載のケーブルコネクタ（１０）において、
前記ケーブル（１４）は多芯形体を備えている、ケーブルコネクタ（１０）。
【請求項８】
請求項３に記載のケーブルコネクタ（１０）において、
前記ケーブル（１４）は単芯形体を備えている、ケーブルコネクタ（１０）。
【請求項９】
請求項１に記載のケーブルコネクタ（１０）において、
前記コネクタハウジング（２４）は、ヘッダ（３６）内に摺動可能に配置されるように形成されている、ケーブルコネクタ（１０）。
【請求項１０】
ケーブル（１４）であって、
第１外シェル（１８）を持つ第１部分（１２）を備え、前記第１外シェル（１８）は、第１コネクタハウジング（２４）に取り外し可能に取り付けられており、第１シール（２６）が、前記第１外シェル（１８）と前記第１コネクタハウジング（２４）との間に配置されており、、第１シールド（２８）が、少なくとも部分的に前記第１コネクタハウジング（２４）の周囲に前記第１シール（２６）と隣接して配置されており、
第２外シェル（１８）を持つ第２部分（１６）を備え、前記第２外シェル（１８）は、第２コネクタハウジング（２４）に取り外し可能に取り付けられており、第２シール（２６）が、前記第２外シェル（１８）と前記第２コネクタハウジング（２４）との間に配置されており、第２シールド（２８）が、少なくとも部分的に前記第２コネクタハウジング（２４）の周囲に前記第２シール（２６）と隣接して配置されており、
前記第１部分（１２）は前記第２部分（１６）に電気的に接続される、ケーブル（１４）。
【請求項１１】
請求項１０に記載のケーブル（１４）において、
前記外シェル（１８）は、前記第２外シェル（１８）内に摺動可能に配置され、前記第１コネクタハウジング（２４）は、前記第２コネクタハウジング（２４）内に摺動可能に配置されている、ケーブル（１４）。
【請求項１２】
請求項１０に記載のケーブル（１４）において、
前記第１部分（１２）及び前記第２部分（１６）は、互いにインラインをなしている、ケーブル（１４）。
【請求項１３】
請求項１０に記載のケーブル（１４）において、
前記第２部分（１６）は、前記第２シール（２６）及び前記第２シールド（２８）のうちの少なくとも一方の周囲に配置されたヘッダ（３６）を含む、ケーブル（１４）。
【請求項１４】
請求項１０に記載のケーブル（１４）において、
第１ケーブル（１４）が、前記第１部分（１２）を通って延びており、第２ケーブル（１４）が、前記第２部分（１６）を通って延びている、ケーブル（１４）。
【請求項１５】
請求項１４に記載のケーブル（１４）において、
前記第１及び第２のケーブル（１４）の少なくとも一方が、単芯形体を有する、ケーブル（１４）。
【請求項１６】
請求項１４に記載のケーブル（１４）において、
前記第１及び第２のケーブル（１４）の少なくとも一方が、多芯形体を有する、ケーブル（１４）。
【請求項１７】
請求項１０に記載のケーブル（１４）において、
前記第１及び第２のシール（２６）の少なくとも一方が、一体形状を有する、ケーブル（１４）。
【請求項１８】
請求項１０に記載のケーブル（１４）において、更に、
前記第１コネクタハウジング（２４）内に配置された第１端子（２０）と、
前記第２コネクタハウジング（２４）内に配置された第２端子（２０）とを備えており、前記第１端子（２０）及び前記第２端子（２０）は、前記第１部分（１２）が前記第２部分（１６）内に摺動可能に配置されているとき、電気的に導通している、ケーブル（１４）。
【請求項１９】
請求項１８に記載のケーブル（１４）において、更に、
前記第１端子（２０）の周囲に配置された第１フェルール（２２）と、前記第２端子（２０）の周囲に配置された第２フェルール（２２）とを備えている、ケーブル（１４）。
【請求項２０】
請求項１９に記載のケーブル（１４）において、
前記第１フェルール（２２）及び前記第２フェルール（２２）は、前記第１端子（２０）及び前記第２端子（２０）の夫々にかしめられている、ケーブル（１４）。
【請求項２１】
ケーブルコネクタ（１０）であって、
外シェル（１８）と、
前記外シェル（１８）に少なくとも部分的に配置されたコネクタハウジング（２４）と、
前記コネクタハウジング（２４）の周囲に少なくとも部分的に配置されたシールド（２８）と、
一体形状を有し、前記外シェル（１８）と前記コネクタハウジング（２４）との間に少なくとも部分的に配置されたシール（２６）とを含む、ケーブルコネクタ（１０）。
【請求項２２】
請求項２１に記載のケーブルコネクタ（１０）において、
前記シール（２６）は、前記シールド（２８）上に少なくとも部分的に配置されている、ケーブルコネクタ（１０）。
【請求項２３】
請求項２１に記載のケーブルコネクタ（１０）において、更に、
端子（２０）を持つケーブル（１４）を備えており、前記端子（２０）は前記コネクタハウジング（２４）内に配置される、ケーブルコネクタ（１０）。
【発明の詳細な説明】
【技術分野】
【０００１】
ケーブルの互いに一直線状をなした二つの部分を連結するため、又は一つの部分をヘッダに連結するため、様々な産業でケーブルコネクタが広範に使用されている。ケーブルは、多くの様々な大きさ及び形体（形状）で提供される。例えば、多芯形体（多芯形状）では、各ケーブルは一つ以上の端子を有する。単芯形体（単芯形状）では、各ケーブルは端子を一つしか持たない。多くの場合、これらの及び他の形体のケーブルを様々な大きさの穴に通さなければならず、場合によっては異なる大きさのケーブルに連結しなければならない。多くの場合、このようなケーブルを使用するデバイスでは空間が制限されており、ケーブルは、多くの場合、穴に嵌着する上で大き過ぎる。
【背景技術】
【０００２】
ケーブルコネクタの構成要素の数が、ケーブルコネクタの大きさに直接影響する。第一に、各ケーブルコネクタは、一体成形されたコネクタハウジングを備えた外シェルと、シールドと、シェルと、二つのシール（すなわち、周囲シールと、ケーブルシール）とを備えている。両シールは、ケーブルコネクタ内に封入されており、ケーブルの周囲に配置される。両シールを設けることにより、ケーブルコネクタの、構成要素の数、大きさ、及び費用が増大する。更に、コネクタを外シェルと一体成形することにより、ケーブルコネクタの大きさが大きくなり、成型を行う上での選択肢及び材料の選択の幅が狭まる。更に、コネクタハウジングを外シェルと一体成形することにより、シールドの有効性が低下する。これは、シールドに追加のスロットを設ける必要があるためである。これにより、望ましからぬ信号漏れを阻止し損なってしまう。
【発明の概要】
【発明が解決しようとする課題】
【０００３】
従って、小型で低価格であると同時に丈夫で頑丈なケーブル連結部を提供するケーブルコネクタが必要とされている。
【課題を解決するための手段】
【０００４】
一つの例示の方法では、ケーブルコネクタは、外シェルに取り外し可能に取り付けられたコネクタハウジングを含む。シールが、少なくとも部分的に外シェルとコネクタハウジングとの間に配置されている。シールドが、少なくとも部分的に、シールと隣接してコネクタハウジングの周囲に配置されている。別の例示の方法では、シールは一体の形状（一体の形体）を有する。
【０００５】
以上の説明は、添付図面の以下の詳細な説明から更に完全に理解されるであろう。
【図面の簡単な説明】
【０００６】
【図１】図１は、第１部分及び第２部分を持つケーブルの分解斜視図である。
【図２】図２は、第１部分が第２部分に電気的に接続された組み立てた状態の図１のケーブルコネクタの断面斜視図である。
【図３】図３は、ヘッダを持つケーブルコネクタの分解斜視図である。
【図４】図４は、多芯形体のケーブルコネクタの分解斜視図である。
【図５】図５は、単芯形体のケーブルコネクタの分解斜視図である。
【発明を実施するための形態】
【０００７】
ケーブルコネクタは、外シェル内に配置された、コネクタハウジングと、シールと、シールドとを含む。一実施例では、シールは一体形状を有し、これによりケーブル間の空間を小さくでき、シールしなければならない有効表面積を大幅に減少し、コネクタの信頼性を向上する。これにより周囲シールリテーナ及びケーブルシールリテーナの必要性がなくなるばかりでなく、構成要素の大きさや数、及びケーブルコネクタの費用が低減する。のみならず、コネクタハウジングは、外シェルに取り外し可能に取り付けられている。このような形状により、ケーブルコネクタの大きさが小さくなり、必要なスロットの数を減少することによってシールドの有効性が向上し、材料の選択の幅が大きくなる。従って、結果的に得られたケーブルコネクタは小さく且つ安価であり、頑丈で丈夫である。
【０００８】
図１は、ケーブル１４の第１部分１２をケーブル１４の第２部分１６に電気的に接続する例示のケーブルコネクタ１０の分解斜視図である。ケーブル１４の各部分は同様の構成要素を有する。例えば、両部分は、ケーブル１４の周囲に配置されており且つこのケーブル１４から少なくとも部分的に離間した外シェル１８を含む。各ケーブル１４は、少なくとも一つの端子２０と、この端子２０の周囲にかしめられた（クリンプ止めされた）フェルール２２を含む。以下に更に詳細に論じるように、コネクタハウジング２４が、端子２０の周囲に配置されており、外シェル１８に取り外し可能に取り付けられている。図示のように、第１部分１２のコネクタハウジング２４は「雌」形状（「雌」形体）を有し、第２部分１６のコネクタハウジング２４は「雄」形状（「雄」形体）を有する。シール２６が、外シェル１８とコネクタハウジング２４との間に少なくとも部分的に配置されている。一実施例では、シール２６は一体形状を有し、これにより、別体の周囲シール２６のリテーナ及びケーブル１４のシール２６リテーナを不要にする。シールド２８が、シール２６と隣接してコネクタハウジング２４の周囲に少なくとも部分的に配置されている。シールド２８は、他のケーブル１４又は電子デバイスが、ケーブル１４と干渉しないようにし、また、このケーブル１４が他のケーブル１４又は電子デバイスと干渉しないようにする。
【０００９】
図２は、第１部分１２が第２部分１６に電気的に接続された、ケーブルコネクタ１０の例示の断面斜視図である。詳細には、第１部分１２の外シェル１８及びコネクタハウジング２４は、第２部分１６の外シェル１８及びコネクタハウジング２４内に、各部分の端子２０が互いに電気的導通状態にあるように、夫々摺動可能に配置されている。端子２０が電気的導通状態にある場合には、電力又は通信信号を、ケーブル１４の第１の部分１２と第２の部分１６との間に自由に通すことができる。
【００１０】
上文中に論じたように、コネクタハウジング２４は、外シェル１８に取り外し可能に取り付けられている。一実施例では、各コネクタハウジング２４には、外シェル１８の凹所部分３２にスナップ嵌めするクリップ３０が一体成形されていてもよい。クリップ３０は、第１部分１２を第２部分１６に連結している間、コネクタハウジング２４を外シェル１８に保持するが、クリップ３０は、必要な場合にコネクタハウジング２４を外シェル１８から取り外すことができるようにするばねのような特性を有する。このようにして、第１及び第２の部分１２及び１６を互いから外すことができる。
【００１１】
ケーブルコネクタ１０は、更に、外シェル１８と一体成形された少なくとも一つのフェルールストッパ３４を含んでいてもよい。フェルールストッパ３４は、フェルール２２と係合し、ケーブル１４がケーブルコネクタ１０内で連結解除しないようにする。詳細には、フェルールストッパ３４により、ケーブル１４を引っ張ったときにフェルール２２をシールド２８に底付きさせ（すなわち、フェルール２２がシールド２８の底に達し）、これにより応力解放及びシール保護を提供する。従って、一方又は両方のケーブル１４を引っ張った場合に、端子２０は、第１及び第２の部分１２及び１６間の電気的導通を連結解除したり切ったりし難い。従って、フェルールストッパ３４を外シェル１８に一体成形することにより、ケーブル１４に作用する応力や歪みを低減するばかりでなく、更に頑丈で丈夫なケーブルコネクタ１０を提供する。
【００１２】
図１及び図２に示す実施例では、第１及び第２の部分１２及び１６は互いに一直線状をなしている、即ち互いにインラインをなしている。しかしながら図３を参照すると、インライン連結を形成する代わりに、ケーブル１４はヘッダ３６に連結することもできる。このヘッダ３６は、表面又は壁に取り付けることができる。一実施例では、第２部分１６の外シェル１８は、第２部分１６のシール２６及びシールド２８の周囲に配置されたヘッダ３６を含んでいてもよい。従って、ヘッダ３６は、第１部分１２と噛み合う前にシールされており、シールド２８は環境から保護されている。
【００１３】
上述の実施例におけるのと同様に、シール２６及びシールド２８は、コネクタハウジング２４の周囲に配置されており、第１部分１２は、夫々のコネクタハウジング２４を介してヘッダ３６に電気的に接続される。例えば、図３に示すように、第２部分１６のコネクタハウジング２４は「雄」形状（「雄」形体）を有し、この「雄」形状は、「雌」形状（「雌」形体）を持つ第１部分１２のコネクタハウジング２４の周囲に摺動可能に配置される。第１部分１２をヘッダ３６に電気的に接続するとき、第１部分１２の端子２０と、ヘッダ３６のコネクタハウジング２４内に配置された端子２０とが、電気的に導通する。更に、端子２０をヘッダ３６内に配置したので、コントローラハウジング内に回路を構成する上での融通性を提供し、バスバー（母線）技術を適用できる。
【００１４】
次に図４及び図５を参照すると、ケーブル１４は、多芯形体（多芯形状）を備えていてもよいし、単芯形体（単芯形状）を備えていてもよい。多芯形体の場合には、多数の端子２０が一本のケーブル１４を通って延び、単芯形体の場合には、各ケーブル１４が一本の端子２０を有する。図４は、多芯形体のケーブル１４の例示の図であり、図５に示す実施例は、単芯形体のケーブル１４を示す。
【００１５】
以上の説明は、例示を意図したものであって、限定を意図したものではない。以上の説明を読むことにより、当業者には、以上の例以外の多くの変形例のアプローチ又は用途が明らかになるであろう。本発明の範囲は、以上の説明によってでなく、添付の特許請求の範囲並びにその均等物の全範囲によって決定されるべきである。本明細書中で論じた技術において、将来、開発がなされるであろう。開示のシステム及び方法は、このような将来の例に組み込まれるであろう。簡単に述べると、本発明は変形及び変更が可能であり、添付の特許請求の範囲のみによって限定されるということは理解されるべきである。
【００１６】
現在の実施例を特定的に図示し且つ説明したが、これらは最良の態様の例示に過ぎない。以下の特許請求の範囲に定義された精神及び範囲から逸脱することなく、特許請求の範囲の要旨を実施する上で、本明細書中に説明した実施例に対する様々な変更を使用してもよいということは当業者には理解されるべきである。以下の特許請求の範囲は、本発明の範囲を定義し、これらの特許請求の範囲内の方法及び装置及びそれらの均等物は、特許請求の範囲に含まれる。以上の説明は、本明細書中に説明したエレメントの全ての新規な及び自明でない組み合わせを含み、本願の又は後の出願の特許請求の範囲は、これらのエレメントの任意の新規な及び自明でない組み合わせに関するものと理解されるべきである。更に、上述の実施例は例示であって、本願又は後の出願において特許請求される全ての可能な組み合わせに対し、単一の特徴又はエレメントが重要であるのではない。
【００１７】
特許請求の範囲で使用された全ての用語は、それらの最も広い妥当な構造で使用されることを意図したものであって、これに反する特段の記載のない限り、当業者が理解する通常の意味で使用される。詳細には、単数で示された用語は、特許請求の範囲においてこれに反する特段の記載のない限り、表示のエレメントが一つ又はそれ以上あるものと読まれるべきである。
【符号の説明】
【００１８】
１０  ケーブルコネクタ
１２  第１部分
１４  ケーブル
１６  第２部分
１８  外シェル
２０  端子
２２  フェルール
２４  コネクタハウジング
２６  シール
２８  シールド
３０  クリップ
３２  凹所部分
３４  フェルールストッパ
【図１】
2010062147.tif 000003
【図２】
2010062147.tif 000004
【図３】
2010062147.tif 000005
【図４】
2010062147.tif 000006
【図５】
2010062147.tif 000007
【外国語明細書】
2010062147000001.pdf